(57)【要約】【課題】リファレンスの安定性と管理の容易さを図ること。【解決手段】カラープリンタにおけるキャリブレーションデータおよび見本を印刷するためのキャリブレーション用データとキャリブレーションデータおよび見本を画像表示するためのリファレンス用表示画像データを作成し、表示する表示用モニタ１２１と、作成されたキャリブレーション用データとリファレンス用表示画像データに基づいてキャリブレーションを行うことを特徴とする。【選択図】        図１
2006262028.tif 000002
【特許請求の範囲】
【請求項１】
カラープリンタにおけるキャリブレーションデータおよび見本を印刷するためのキャリブレーション用データと当該キャリブレーションデータおよび見本を画像表示するためのリファレンス用表示画像データを作成する作成手段と、
前記作成手段により作成された前記リファレンス用表示画像データを表示する表示手段と、
前記作成手段により作成された前記キャリブレーション用データと前記リファレンス用表示画像データに基づいてキャリブレーションを行うキャリブレーション手段と、
を備えることを特徴とする画像処理装置。
【請求項２】
前記作成手段は、
前記キャリブレーション用データと前記リファレンス用表示画像データの作成時に対象となった前記カラープリンタとモニタの色再現域の重なる部分の色に基づいて前記キャリブレーション用データと前記リファレンス用表示画像データを作成することを特徴とする請求項１に記載の画像処理装置。
【請求項３】
前記作成手段は、
前記キャリブレーション用データと前記リファレンス用表示画像データの作成時に用いた前記モニタのカラープロファイルを含み作成することを特徴とする請求項１または２に記載の画像処理装置。
【請求項４】
前記作成手段は、
前記表示手段により表示される前記キャリブレーション用データおよび前記リファレンス用表示画像データの背景を前記カラープリンタと前記モニタの前記色再現域の重なる部分の中から選択し作成することを特徴とする請求項１または２に記載の画像処理装置。
【請求項５】
前記作成手段は、
前記キャリブレーション用データとして、前記色再現域の重なる部分色の中で前記カラープリンタの色材に近いものを選択し作成することを特徴とする請求項１または２に記載の画像処理装置。
【請求項６】
前記作成手段は、
前記キャリブレーション用データおよび前記リファレンス用表示画像データを作成する際、選択肢としては、主な前記色材の色成分のみを変化させたものを用いて作成することを特徴とする請求項１に記載の画像処理装置。
【請求項７】
前記作成手段は、
前記キャリブレーション用データとしてひとつの前記色材の色に対して少なくとも２つの濃度のものを用いて作成することを特徴とする請求項１に記載の画像処理装置。
【請求項８】
前記作成手段は、
前記キャリブレーション用データに、前記カラープリンタ設定値を含み作成することを特徴とする請求項１に記載の画像処理装置。
【請求項９】
カラープリンタにおけるキャリブレーションデータおよび見本を印刷するためのキャリブレーション用データと当該キャリブレーションデータおよび見本を画像表示をするためのリファレンス用表示画像データを作成する作成工程と
前記作成工程により作成された前記リファレンス用表示画像データを表示する表示工程と、
前記作成工程により作成された前記キャリブレーション用データと前記リファレンス用表示画像データに基づいてキャリブレーションを行うキャリブレーション工程と、
を含むことを特徴とする画像処理方法。
【請求項１０】
前記作成工程は、
前記キャリブレーション用データと前記リファレンス用表示画像データの作成時に対象となった前記カラープリンタとモニタの色再現域の重なる部分の色に基づいて前記キャリブレーション用データと前記リファレンス用表示画像データを作成することを特徴とする請求項９に記載の画像処理方法。
【請求項１１】
前記作成工程は、
前記キャリブレーション用データと前記リファレンス用表示画像データの作成時に用いた前記モニタのカラープロファイルを含み作成することを特徴とする請求項９または１０に記載の画像処理方法。
【請求項１２】
前記作成工程は、
前記表示工程により表示される前記キャリブレーション用データおよび前記リファレンス用表示画像データの背景を前記カラープリンタと前記モニタの前記色再現域の重なる部分の中から選択し作成することを特徴とする請求項９または１０に記載の画像処理方法。
【請求項１３】
前記作成工程は、
前記キャリブレーション用データとして、前記色再現域の重なる部分色の中で前記カラープリンタの色材に近いものを選択し作成することを特徴とする請求項９または１０に記載の画像処理方法。
【請求項１４】
前記作成工程は、
前記キャリブレーション用データおよび前記リファレンス用表示画像データを作成する際、選択肢としては、主な前記色材色成分のみを変化させたものを用いて作成することを特徴とする請求項９に記載の画像処理方法。
【請求項１５】
前記作成工程は、
前記キャリブレーション用データとしてひとつの前記色材色に対して少なくとも２つの濃度のものを用いて作成することを特徴とする請求項９に記載の画像処理方法。
【請求項１６】
前記作成工程は、
前記キャリブレーション用データに、前記カラープリンタ設定値を含み作成することを特徴とする請求項９に記載の画像処理方法。
【請求項１７】
請求項９〜１６のいずれか一つに記載の画像処理方法をコンピュータに実行させることを特徴とする画像処理プログラム。
【発明の詳細な説明】
【技術分野】
【０００１】
この発明は、カラープリンタ装置に関わり、個体別の違いや、時間が経過して色変化した色を一定の状態に保つためにキャリブレーションを行う画像処理装置、画像処理方法および画像処理プログラムに関する。
【背景技術】
【０００２】
従来から、カラープリンタなどの画像処理装置は、その経時変化や、温度、湿度などの環境変化などにより、各色の最高濃度や記録出力特性が変動する。この画像処理装置による色の記録出力特性の変動を抑えるために、その時点におけるカラー画像処理装置の装置状態、例えば濃度特性状態を取り込んで記録出力特性のキャリブレーションが行われる（例えば、下記特許文献１〜６参照。）。
【０００３】
図６は、画像処理装置における従来のキャリブレーション機能を示すブロック図である。画像処理装置におけるキャリブレーション機能は、キャリブレーション装置６００と、プリンタγおよび階調処理装置６１０と、を備え構成されている。キャリブレーション装置６００は、キャリブレーション装置６００内に、キャリブレーションコントロール装置６０１と、パターン出力装置６０２と、γ演算装置６０３と、調整入力装置６０４と、キャリブレーションパターン６０５と、を有している。また、プリンタγおよび階調処理装置６１０は、階調処理用γテーブル６１１と、γ変換部６１２と、階調処理部６１３と、を有している。
【０００４】
キャリブレーションコントロール装置６０１は、パターン出力装置６０２と、γ演算装置６０３と、調整入力装置６０４と、をコントロールしている。キャリブレーション装置６００は、パターン出力装置６０２でキャリブレーションパターン６０５を印刷し、不図示の出力部から出力する。
【０００５】
そしてユーザは、出力したキャリブレーションパターン６０５と、印刷物見本６０６、あるいはキャリブレーションパターン６０５内の見本（リファレンス）と、を比較する。続いてユーザは、比較した結果に基づいて、不図示のキーボードなどの操作部を利用し調整値を調整入力装置６０４に入力する。その後、γ演算装置６０３は、調整入力装置６０４に入力された入力値を参照して、その時点の機器に適正なγ算出を行う。
【０００６】
キャリブレーション装置６００は、γ演算装置６０３で算出されたγ値を、プリンタγおよび階調処理装置６１０内の階調処理用γテーブル６１１に送付反映する。そしてプリンタγおよび階調処理装置６１０は、階調処理用γテーブル６１１を参照して、γ変換部６１２でγ変換を実施し、階調処理部６１３で階調処理をすることにより、キャリブレーションを反映し、プリントサンプル６１４を不図示の出力部から出力する。なお、キャリブレーション装置６００は従来プリンタなど、画像処理装置内部にある場合が多い。
【０００７】
図７は、従来のキャリブレーション装置におけるキャリブレーションデータおよび印刷見本を示す図である。従来のキャリブレーションデータ７０１は、図７に示すように、プリンタのトナーおよびインク色のうち、目で見て違いがわかりやすいトナーおよびインク色について、いくつかの濃度に分けたを含んでいる。また、グレーバランスについても、いくつかの組み合わせを１つのパターン内に含んでいる。例えばキャリブレーションデータ７０１は、Ｍ（マゼンダ）、Ｋ（ブラック）、Ｃ／Ｙ（シアン／イエロー）について、１〜５段階の濃度を分けて表示している。印刷見本７０２は、印刷物またはキャリブレーションデータ７０１内に特殊な階調処理によって変動の少ないリファレンスパターンを作成して提示している。ユーザは、キャリブレーションデータ７０１のうちから印刷見本７０２と同じにみえるものを選択しキャリブレーションを実行する。
【０００８】
一般的にカラープリンタでは、キャリブレーションのために印刷見本を同梱しておき、ユーザがキャリブレーションデータをプリンタから出力してその差を比較して入力し、キャリブレーションの実行を行うものが主流であった。また、印刷見本がない場合では、比較的安定と思われる色やドットパターンを用いて印字し、キャリブレーションを実施するパターンのリファレンスとして用いるものがほとんどである。
【０００９】
【特許文献１】特開２０００−２２９５４号公報
【特許文献２】特開２００１−１７１１５５号公報
【特許文献３】特開２００２−４４４５５号公報
【特許文献４】特開２００２−２３７９６０号公報
【特許文献５】特開２００３−１９８８６５号公報
【特許文献６】特開２００３−３４５０７４号公報
【発明の開示】
【発明が解決しようとする課題】
【００１０】
しかしながら、比較的安定と思われる色やドットパターンをリファレンスとする場合、比較的安定と思われる色やドットパターンがなんらかの理由で変動した場合には、リファレンス自体が一定でなくなってしまうという危険性がある。また、印刷物を同梱してリファレンスとする場合、その印刷物の出来上がりと実際のプリンタ濃度をコントロールする手間や、印刷物を同梱する手間やコストが発生する。
【００１１】
この発明は、上述した従来技術による問題点を解消するため、一般的な標準モニタおよび色変換機能を利用してリファレンスとすることにより、リファレンスの安定性と管理の容易さを得ることができる画像処理装置、画像処理方法および画像処理プログラムを提供することを目的とする。
【課題を解決するための手段】
【００１２】
上述した課題を解決し、目的を達成するため、請求項１の発明にかかる画像処理装置は、カラープリンタにおけるキャリブレーションデータおよび見本を印刷するためのキャリブレーション用データと当該キャリブレーションデータおよび見本を画像表示をするためのリファレンス用表示画像データを作成する作成手段と、前記作成手段により作成された前記リファレンス用表示画像データを表示する表示手段と、前記作成手段により作成された前記キャリブレーション用データと前記リファレンス用表示画像データに基づいてキャリブレーションを行うキャリブレーション手段と、を備えることを特徴とする。
【００１３】
この請求項１の発明によれば、既存のカラーマッチングシステムや標準モニタを用いてキャリブレーションデータおよび見本を印刷するためのキャリブレーション用データと画像表示をするためのリファレンス用表示画像データを作成する。そして、キャリブレーションデータおよび見本を表示して、キャリブレーションを行うため、低コストで、安定性のよいキャリブレーションができる画像処理装置の提供可能を図ることができる。
【００１４】
また、請求項２の発明にかかる画像処理装置は、請求項１に記載の発明において、前記作成手段は、前記キャリブレーション用データと前記リファレンス用表示画像データの作成時に対象となった前記カラープリンタとモニタの色再現域の重なる部分の色に基づいて前記キャリブレーション用データと前記リファレンス用表示画像データを作成することを特徴とする。
【００１５】
この請求項２の発明によれば、キャリブレーション用データとリファレンス用表示画像データの作成時に対象となったカラープリンタとモニタの色再現域の重なる部分の色に基づいて、キャリブレーション用データとリファレンス用表示画像データを作成するため、モニタとプリンタの色再現域の違いという課題の解決を図ることができる。
【００１６】
また、請求項３の発明にかかる画像処理装置は、請求項１または２に記載の発明において、前記作成手段は、前記キャリブレーション用データと前記リファレンス用表示画像データの作成時に用いた前記モニタのカラープロファイルを含み作成することを特徴とする。
【００１７】
この請求項３の発明によれば、キャリブレーション用データとリファレンス用表示画像データの作成時に用いたモニタのカラープロファイルを含み作成するため、モニタの異なる環境でのキャリブレーションも可能となる。
【００１８】
また、請求項４の発明にかかる画像処理装置は、請求項１または２に記載の発明において、前記作成手段は、前記表示手段により表示される前記キャリブレーション用データおよび前記リファレンス用表示画像データの背景を前記カラープリンタと前記モニタの前記色再現域の重なる部分の中から選択し作成することを特徴とする。
【００１９】
この請求項４の発明によれば、キャリブレーション用データおよびリファレンス用表示画像データの背景をカラープリンタとモニタの色再現域の重なる部分の中から選択し作成するため、背景の白に影響を受けることなく、比較が可能となる。
【００２０】
また、請求項５の発明にかかる画像処理装置は、請求項１または２に記載の発明において、前記作成手段は、前記キャリブレーション用データとして、前記色再現域の重なる部分色の中で前記カラープリンタの色材に近いものを選択し作成することを特徴とする。
【００２１】
この請求項５の発明によれば、キャリブレーション用データとして、カラープリンタの色材に近いものを選択し作成するため、カラープリンタの色材を使用したキャリブレーションでなくても、色空間全域にわたるキャリブレーションが可能となる。
【００２２】
また、請求項６の発明にかかる画像処理装置は、請求項１に記載の発明において、前記作成手段は、前記キャリブレーション用データおよび前記リファレンス用表示画像データを作成する際、選択肢としては、主な前記色材色成分のみを変化させたものを用いて作成することを特徴とする。
【００２３】
この請求項６の発明によれば、キャリブレーション用データおよびリファレンス用表示画像データを作成する際、主な色材色成分のみを変化させたものを用いて作成するため、各色材のキャリブレーションが可能となる。
【００２４】
また、請求項７の発明にかかる画像処理装置は、請求項１に記載の発明において、前記作成手段は、前記キャリブレーション用データとしてひとつの前記色材色に対して少なくとも２つの濃度のものを用いて作成することを特徴とする。
【００２５】
この請求項７の発明によれば、キャリブレーション用データとしてひとつの色材色に対して少なくとも２つの濃度を用いて作成するため、効率的かつ、精度のよいキャリブレーションが可能となる。
【００２６】
また、請求項８の発明にかかる画像処理装置は、請求項１に記載の発明において、前記作成手段は、前記キャリブレーション用データに、前記カラープリンタ設定値を含み作成することを特徴とする。
【００２７】
この請求項８の発明によれば、キャリブレーション用データに、カラープリンタ設定値を含み作成するため、キャリブレーションデータ出力時のミスを少なくし、手間を省くことが可能となる。
【００２８】
また、請求項９の発明にかかる画像処理方法は、カラープリンタにおけるキャリブレーションデータおよび見本を印刷するためのキャリブレーション用データと当該キャリブレーションデータおよび見本を画像表示をするためのリファレンス用表示画像データを作成する作成工程と、前記作成工程により作成された前記リファレンス用表示画像データを表示する表示工程と、前記作成工程により作成された前記キャリブレーション用データと前記リファレンス用表示画像データに基づいてキャリブレーションを行うキャリブレーション工程と、を含むことを特徴とする。
【００２９】
この請求項９の発明によれば、既存のカラーマッチングシステムや標準モニタを用いてキャリブレーションデータおよび見本を印刷するためのキャリブレーション用データと画像表示をするためのリファレンス用表示画像データを作成する。そして、キャリブレーションデータおよび見本を表示して、キャリブレーションを行うため、低コストで、安定性のよいキャリブレーションができる画像処理装置の提供可能を図ることができる。
【００３０】
また、請求項１０の発明にかかる画像処理方法は、請求項９に記載の発明において、前記作成工程は、前記キャリブレーション用データと前記リファレンス用表示画像データの作成時に対象となった前記カラープリンタとモニタの色再現域の重なる部分の色に基づいて前記キャリブレーション用データと前記リファレンス用表示画像データを作成することを特徴とする。
【００３１】
この請求項１０の発明によれば、キャリブレーション用データとリファレンス用表示画像データの作成時に対象となったカラープリンタとモニタの色再現域の重なる部分の色に基づいて、キャリブレーション用データとリファレンス用表示画像データを作成するため、モニタとプリンタの色再現域の違いという課題の解決を図ることができる。
【００３２】
また、請求項１１の発明にかかる画像処理方法は、請求項９または１０に記載の発明において、前記作成工程は、前記キャリブレーション用データと前記リファレンス用表示画像データの作成時に用いた前記モニタのカラープロファイルを含み作成することを特徴とする。
【００３３】
この請求項１１の発明によれば、キャリブレーション用データとリファレンス用表示画像データの作成時に用いたモニタのカラープロファイルを含み作成するため、モニタの異なる環境でのキャリブレーションも可能となる。
【００３４】
また、請求項１２の発明にかかる画像処理方法は、請求項９または１０に記載の発明において、前記作成工程は、前記表示工程により表示される前記キャリブレーション用データおよび前記リファレンス用表示画像データの背景を前記カラープリンタと前記モニタの前記色再現域の重なる部分の中から選択し作成することを特徴とする。
【００３５】
この請求項１２の発明によれば、キャリブレーション用データおよびリファレンス用表示画像データの背景をカラープリンタとモニタの色再現域の重なる部分の中から選択し作成するため、背景の白に影響を受けることなく、比較が可能となる。
【００３６】
また、請求項１３の発明にかかる画像処理方法は、請求項９または１０に記載の発明において、前記作成工程は、前記キャリブレーション用データとして、前記色再現域の重なる部分色の中で前記カラープリンタの色材に近いものを選択し作成することを特徴とする。
【００３７】
この請求項１３の発明によれば、キャリブレーション用データとして、カラープリンタの色材に近いものを選択し作成するため、カラープリンタの色材を使用したキャリブレーションでなくても、色空間全域にわたるキャリブレーションが可能となる。
【００３８】
また、請求項１４の発明にかかる画像処理方法は、請求項９に記載の発明において、前記作成工程は、前記キャリブレーション用データおよび前記リファレンス用表示画像データを作成する際、選択肢としては、主な前記色材色成分のみを変化させたものを用いて作成することを特徴とする。
【００３９】
この請求項１４の発明によれば、キャリブレーション用データおよびリファレンス用表示画像データを作成する際、主な色材色成分のみを変化させたものを用いて作成するため、各色材のキャリブレーションが可能となる。
【００４０】
また、請求項１５の発明にかかる画像処理方法は、請求項９に記載の発明において、前記作成工程は、前記キャリブレーション用データとしてひとつの前記色材色に対して少なくとも２つの濃度のものを用いて作成することを特徴とする。
【００４１】
この請求項１５の発明によれば、キャリブレーション用データとしてひとつの色材色に対して少なくとも２つの濃度を用いて作成するため、効率的かつ、精度のよいキャリブレーションが可能となる。
【００４２】
また、請求項１６の発明にかかる画像処理方法は、請求項９に記載の発明において、前記作成工程は、前記キャリブレーション用データに、前記カラープリンタ設定値を含み作成することを特徴とする。
【００４３】
この請求項１６の発明によれば、キャリブレーション用データに、カラープリンタ設定値を含み作成するため、キャリブレーションデータ出力時のミスを少なくし、手間を省くことが可能となる。
【００４４】
また、請求項１７の発明にかかる画像処理プログラムは、請求項９〜１６のいずれか一つに記載の画像処理方法をコンピュータに実行させることを特徴とする。
【００４５】
この請求項１７の発明によれば、請求項９〜１６のいずれか一つに記載の画像処理方法をコンピュータに実行させることが可能になる。
【発明の効果】
【００４６】
本発明にかかる画像処理装置、画像処理方法および画像処理プログラムによれば、一般的な標準モニタおよび色変換機能を利用してリファレンスとすることにより、リファレンスの安定性と管理の容易さを得ることができるという効果を奏する。
【発明を実施するための最良の形態】
【００４７】
以下に添付図面を参照して、この発明にかかる画像処理装置、画像処理方法および画像処理プログラムの好適な実施の形態を詳細に説明する。
【００４８】
（実施の形態）
図１は、本発明の実施の形態にかかるキャリブレーション機能を示すブロック図である。本発明の実施の形態にかかるキャリブレーション機能は、キャリブレーション装置１００と、プリンタγおよび階調処理装置１１０と、を備え構成されている。なお、本実施の形態においては、キャリブレーション装置１００と、プリンタγおよび階調処理装置１１０について説明をするが、一般的にはキャリブレーション装置１００と、プリンタγおよび階調処理装置１１０は、プリンタなどの内部に包括されている構成である。
【００４９】
キャリブレーション装置１００は、キャリブレーションコントロール装置１０１と、パターン出力装置１０２と、γ演算装置１０３と、調整入力装置１０４と、キャリブレーションパターン１０５と、表示用リファレンスデータ１２０と、表示用モニタ１２１と、を有している。また、プリンタγおよび階調処理装置１１０は、階調処理用γテーブル１１１と、γ変換部１１２と、階調処理部１１３と、を有し、不図示の出力部よりプリントサンプル１１４を出力できる構成である。
【００５０】
本発明の実施の形態にかかるキャリブレーション装置１００とプリンタγおよび階調処理装置１１０の機能については、従来の図６とほぼ同様である。しかし、本発明実施の形態では、図６および図７で説明した印刷物見本６０６および印刷見本７０２、あるいは特殊な階調処理による変動の少ないリファレンスパターンを用いずに、標準モニタに表示したパターンをリファレンスとすることを特徴としている。ここで標準モニタとは、そのモニタ特性が定まっており、対応するモニタプロファイルをもつものをさしている。
【００５１】
つまり、本発明の実施の形態におけるキャリブレーション装置１００においては、プリンタのキャリブレーション用画像のほかに、そのリファレンスとなる表示用リファレンスデータ１２０をもち、その表示用リファレンスデータ１２０を標準モニタである表示用モニタ１２１に表示ができる構成となっている。
【００５２】
なお、本発明の実施の形態にかかるキャリブレーション装置１００は、モニタ表示部分がＰＣ（パーソナル・コンピュータ）側に存在し、他の部分はプリンタなどの内部にγ演算装置１０３を備える構成であっても、ＰＣ側にγ演算装置１０３を備える構成でもよい。ＰＣ側にγ演算装置１０３がある場合では、γ調整結果をプリンタの階調処理用γテーブル１１１へ格納するコマンドを用意する構成としてもよい。
【００５３】
図２は、本発明の実施の形態にかかるキャリブレーションデータと印刷見本の例を示す図である。このキャリブレーションデータ２０１は、図２に示すように、プリンタのトナーおよびインク色のうち、目で見て違いがわかりやすいトナーおよびインク色について、いくつかの濃度に分けたものを含んでいる。このキャリブレーションデータ２０１と印刷見本２０２のレイアウトは、従来のキャリブレーションデータ７０１と印刷見本７０２と基本的に同じである。本実施の形態では、Ａと、Ｂと、Ｃと、Ｄと、Ｅのトナーおよびインク色について、１〜５段階に濃度を分けているが、トナーおよびインク色の種類や、濃度の段階は任意で選択できる構成としてもよい。
【００５４】
ここで、リファレンスを表示用モニタ１２１に表示するにあたっては、モニタの色再現域とプリンタの色再現域がかなり異なることが知られている。図３は、モニタとプリンタの色再現域を示す図である。
【００５５】
モニタ色再現領域とプリンタ色再現領域を比較するグラフ３００によれば、モニタ色再現域３０１と、プリンタ色再現域３０２は、一致していない部分がある。本発明の実施の形態では、このモニタ色再現域とプリンタ色再現域を比較するグラフ３００に基づいて、モニタとプリンタの色再現域が重なった部分の色のみをキャリブレーションデータ２０１として用いる構成としている。
【００５６】
また、本発明の実施の形態にかかるキャリブレーション装置１００では、表示用モニタ１２１で表示するモニタの色は、プリンタの色と合わせるために、カラープロファイルを含むこととする。図４は、表示用リファレンスデータを示す図である。表示用リファレンスデータ４００は、モニタプロファイル情報４０１を含んでおり、例えば後述のように作成できる。
【００５７】
プリンタで出力見本としたい色をデバイスの特性に依存しない表色系で測定し、この表色系でモニタ表示用サンプルを作成する。このモニタ表示用サンプルを所定のモニタプロファイル情報４０１に基づいてＲＧＢ（レッド、グリーン、ブルー）値に変換し、表示用リファレンスデータ４００とする。その際に、使用したモニタプロファイル情報４０１を添付する。このことにより、モニタが異なっても、一般的なカラーマッチングシステムにより、表示色を統一化可能となる。
【００５８】
また、キャリブレーション装置１００における表示用モニタ１２１に表示させる背景の色が白であると、プリンタの紙白と異なるために比較が難しい場合がある。例えば、モニタの白を紙で再現できないことで、ユーザの目が影響を受けて、表示用モニタ１２１の背景の白とプリンタの紙白の比較が難しくなる。そこで本発明の実施の形態においては、表示用モニタ１２１に表示させる背景もモニタ色再現域３０１と、プリンタ色再現域３０２が重なった部分の色の中から選択する構成としている。
【００５９】
キャリブレーションの実施にあたって、プリンタの色はプリンタの全てのトナーおよびインクを用いて作成されるものであるため、全部の色についての安定性を得るには、プリンタのトナーおよびインクの各色について行うことが望ましい。例えば、従来のキャリブレーションでは、色材それぞれによる１次色のキャリブレーションが行われていることが多い。
【００６０】
本発明の実施の形態においては、モニタ色再現領域とプリンタ色再現領域を比較するグラフ３００に基づいて、モニタ色再現域３０１とプリンタ色再現域３０２のそれぞれの色再現域の重なった部分を参照する。色再現領域の重なった部分の色の中で、少なくともプリンタのトナーおよびインク色に近いものを中心に選択し、混色のキャリブレーションデータであっても全トナー成分の調整ができる構成となっている。
【００６１】
また、本発明の実施の形態にかかるキャリブレーションデータにおいては、ひとつのトナーおよびインク色に近い色を少なくとも２つの濃度で選択し、その付近での変動を確認する構成である。この２つの濃度は、基準となるγカーブ形状の変化の大きなところを用いるのがよいが、一般には２０−４０％１点と５０−７０％１点を含むものが望ましい。これによって、γ演算装置１０３では、紙白と最高濃度は固定データとし、その中間２点に関する濃度変動情報を得ることが可能となるので、その４点を補間する形でγ再計算を行うことができる構成となっている。
【００６２】
図５−１は、基準となるγカーブの形状の変化が２０−４０％のキャリブレーションデータを示す図である。また、図５−２は、基準となるγカーブの形状の変化が５０−７０％のキャリブレーションデータを示す図である。前述のようにユーザは、基準となるγカーブの形状の変化が２０−４０％のキャリブレーションデータ５０１から１点、基準となるγカーブの形状の変化が５０−７０％のキャリブレーションデータ５０２の中からそれぞれ１点を選択し、γ演算装置１０３でγ再計算を実施する。
【００６３】
さらに、本発明実施の形態では、前述のトナーおよびインク色に近い色中心の選択について、キャリブレーションの選択肢を作成する際に、色の中で主なトナーおよびインク色成分だけを変化させる。一方、他のインク色についてはそのままとする。主なトナーおよびインク色成分だけ変化させることによって、主なトナーおよびインク色成分の変動のみを抽出するできる構成となっている。
【００６４】
例えば、図５−１に示す基準となるγカーブの形状の変化が２０−４０％のキャリブレーションデータ５０１において、Ｃに近い色の１と５についてＣ成分のみを変化させて表示をすることで、Ｃ成分の変動を抽出することができる構成としてもよい。
【００６５】
また、本発明の実施の形態においては、キャリブレーションデータ２０１を印刷するためのキャリブレーション用データに作成時のプリンタ設定データを組み込む構成としてもよい。例えばキャリブレーション用データは、ＣＭＹＫ（シアン、マゼンタ、イエロー、ブラック）の色空間で表現できる形式で、アプリケーションに依存せずプリント出力が可能なデータ形式である。キャリブレーションデータ２０１を印刷するためのキャリブレーション用データにプリンタ設定データを組み込むことにより、ユーザは特に意識しなくても一定の設定条件でキャリブレーションデータ２０１のプリント出力を得ることができる構成となっている。
【００６６】
以上説明した本発明の実施の形態によれば、一般的なカラーマッチングシステムや標準モニタを用いてキャリブレーションのリファレンス表示を行うことができるため、低コストで安定性のあるキャリブレーションを実行することができる。
【００６７】
また、表示用モニタ１２１とプリンタの色再現領域の重複部を参照しているため、両者の差異に基づく色の再現の不一致を防ぐことができる。さらに、表示用モニタ１２１の背景が白であっても、ユーザは背景の白に影響を受けることを防止できる。
【００６８】
また、表示用リファレンスデータ４００にモニタプロファイル情報４０１を添付する構成であるため、モニタの異なる環境でも、キャリブレーションを可能とする。
【００６９】
また、色再現領域の重なった部分の色の中で、少なくともプリンタのトナーおよびインク色に近いものを中心に選択し、混色のキャリブレーションデータ２０１であっても全トナー成分の調整ができる構成となっている。
【００７０】
また、キャリブレーションデータ２０１を印刷するためのキャリブレーション用データに作成時のプリンタ設定データを組み込む構成としているため、キャリブレーションデータ２０１出力時のミスをなくし、ユーザの手間を省くことができる。
【００７１】
なお、本実施の形態で説明した画像処理方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００７２】
以上のように、本発明にかかる画像処理装置、画像処理方法および画像処理プログラムは、カラー画像を出力する画像処理装置に有用であり、特に、カラープリンタに適している。
【図面の簡単な説明】
【００７３】
【図１】本発明の実施の形態にかかるキャリブレーション機能を示すブロック図である。
【図２】本発明の実施の形態にかかるキャリブレーション用データと印刷見本の例を示す図である。
【図３】モニタとプリンタの色再現域を示す図である。
【図４】表示用リファレンスデータを示す図である。
【図５−１】基準となるγカーブの形状の変化が２０−４０％のキャリブレーションデータを示す図である。
【図５−２】基準となるγカーブの形状の変化が５０−７０％のキャリブレーションデータを示す図である。
【図６】画像処理装置における従来のキャリブレーション機能を示すブロック図である。
【図７】従来のキャリブレーション装置におけるキャリブレーションデータおよび印刷見本を示す図である。
【符号の説明】
【００７４】
１００  キャリブレーション装置
１０１  キャリブレーションコントロール装置
１０２  パターン出力装置
１０３  γ演算装置
１０４  調整入力装置
１０５  キャリブレーションパターン
１１０  プリンタγおよび階調処理装置
１１１  階調処理用γテーブル
１１２  γ変換部
１１３  階調処理部
１１４  プリントサンプル
１２０  表示用リファレンスデータ
１２１  表示用モニタ
【図１】
2006262028.tif 000003
【図２】
2006262028.tif 000004
【図３】
2006262028.tif 000005
【図４】
2006262028.tif 000006
【図５−１】
2006262028.tif 000007
【図５−２】
2006262028.tif 000008
【図６】
2006262028.tif 000009
【図７】
2006262028.tif 000010